(57)【要約】      （修正有）【課題】耐乾燥性を大幅にアップさせるようにした込物を提供する。【解決手段】発破孔の孔底に親ダイ及び流動性爆薬を装填し、装填した流動性爆薬の背後を填塞するのに用いる爆破用込物において、込物１０は、鉱油、合成油及び植物油の群から選択される少なくとも１つと脂肪酸を反応させたグリース状物質を無機質粘土に添加してなる油粘土を、発破孔内に押し込まれ得る大きさの円柱状に製作して構成されており、耐乾燥性が付与されている。【選択図】図１
2015172479.tif 000002
【特許請求の範囲】
【請求項１】
発破孔の孔底に親ダイ及び流動性爆薬を装填し、装填した流動性爆薬の背後を填塞するのに用いる爆破用込物において、
鉱油、合成油及び植物油の群から選択される少なくとも１つと脂肪酸を反応させたグリース状物質を無機質粘土に添加してなる油粘土が、発破孔内に押し込まれ得る大きさの円柱状に製作されており、耐乾燥性が付与されていることを特徴とする爆破用込物。
【請求項２】
上記油粘土が破袋可能な合成樹脂製袋又は紙製袋に収容されている請求項１記載の爆破用込物。
【請求項３】
上記油粘土には、消臭剤が混合され、消臭剤のマイクロカプセルが分散されている請求項１記載の爆破用込物。
【請求項４】
発破孔の孔底に親ダイ及び流動性爆薬を装填し、装填した流動性爆薬の背後を填塞するのに用いる爆破用込物において、
無機質粘土に流動パラフィン又は架橋ポリアクリル酸ソーダゲルが混合されて発破孔内に押し込まれ得る大きさの円柱状に製作されるか、又は無機質粘土が発破孔内に押し込まれ得る大きさの円柱状に製作され、その表面に流動パラフィン又は架橋ポリアクリル酸ソーダゲルが塗布されることによって、耐乾燥性が付与されていることを特徴とする爆破用込物。
【請求項５】
発破孔の孔底に親ダイ及び流動性爆薬を装填し、装填した流動性爆薬の背後を填塞するのに用いる爆破用込物において、
無機質粘土に溶融又は軟化した合成樹脂材料が混合されて発破孔内に押し込まれ得る大きさの円柱状に製作されるか、又は無機質粘土が発破孔内に押し込まれ得る大きさの円柱状に製作され、その表面に軟化又は溶融した合成樹脂材料又は塗料が塗布されるか、あるいは無機質粘土が発破孔内に押し込まれ得る大きさの円柱状に製作され、その表面が熱収縮性の合成樹脂フィルムで包まれて熱収縮されることによって、耐乾燥性が付与されていることを特徴とする爆破用込物。
【発明の詳細な説明】
【技術分野】
【０００１】
本発明は爆破用込物に関し、特に耐乾燥性を大幅にアップさせるようにした込物に関する。
【背景技術】
【０００２】
発破作業を行う場合、発破孔の孔底に、爆薬を紙やプラスチックフィルムなどで包装したカートリッジ爆薬を親ダイとして装填し、カートリッジ爆薬の周囲に硝安油剤爆薬（ＡＮＦＯ）、バルクエマルション爆薬、スラリー爆薬などの流動性爆薬を装填し、親ダイを起爆させて流動性爆薬を爆発させることが行われる（特許文献１）。
【０００３】
発破孔内で爆薬を爆発させた際に、発生する高温高圧のガスが有効に働き、大きな破砕効果をもたらすためには、発破孔を粘土を用いた込物で填塞することが行われている（特許文献２）。
【先行技術文献】
【特許文献】
【０００４】
【特許文献１】特開２００３−１４６７８９号公報
【特許文献２】特開２０１２−２１７００号公報
【発明の開示】
【発明が解決しようとする課題】
【０００５】
しかし、粘土を用いた込物では、込物の保管中に乾燥してしまい、使用時に発破孔と込物との間に隙間ができて、破砕効果を確保できないことがあった。
【０００６】
本発明はかかる状況において、耐乾燥性をアップさせるようにした爆破用込物を提供することを課題とする。
【課題を解決するための手段】
【０００７】
そこで、本発明に係る爆破用込物は、発破孔の孔底に親ダイ及び流動性爆薬を装填し、装填した流動性爆薬の背後を填塞するのに用いる爆破用込物において、鉱油、合成油及び植物油の群から選択される少なくとも１つと脂肪酸を反応させたグリース状物質を無機質粘土に添加してなる油粘土が、発破孔内に押し込まれ得る大きさの円柱状に製作されており、耐乾燥性が付与されていることを特徴とする。
【０００８】
本発明の特徴の１つは込物に油粘土を使用する用にした点にある。これにより、込物が乾燥し難くなり、合成樹脂製の袋に収容する作業も必要なくなる。
【０００９】
ただし、込物を長期間保管する必要がある場合には油粘土を破袋可能な合成樹脂製袋又は紙製袋に収容するのが好ましい。
【００１０】
ところで、込物の乾燥を防止するために、粘土を合成樹脂製袋で包むことが考えられるが、冬期の寒冷地において粘土が凍結し、填塞が困難になるばかりでなく、火花の発生が懸念される。本発明では油粘土を使用しているので、耐乾燥性を大幅に向上できるだけでなく、凝固点が低く、凍結し難くなり、冬期の寒冷地における爆破用込物の凍結を防ぐことができ、安全性を担保できる。なお、凝固点をさらに下げるために塩分を添加するようにしてもよい。
【００１１】
また、油粘土に、鉱油を使用すると、異臭が周囲に不快感を与えるおそれがある。かかる場合には油粘土に消臭剤を混合しておくのがよい。
【００１２】
また、発破作業後に、鉱油の異臭が懸念される場合には油粘土に、消臭剤のマイクロカプセルを分散させておき、発破後に消臭することもできる。
【００１３】
ここで、鉱油、合成油及び植物油の群から選ばれる少なくとも１つは、４０°Ｃにおける動粘度が２０ないし１００００ｃｓｔ、平均分子量２５０ないし１００００のものが好ましい。また、脂肪酸は、飽和脂肪酸、不飽和脂肪酸等を使用でき、炭素数８ないし３０、融点２０°Ｃないし８０°Ｃ、中和価１００ないし３００ｍｇＫＯＨ／ｇ、沃素価０．０１ないし１００の性状を有するものが好適である。
【００１４】
この脂肪酸は鉱油、合成油又は植物油に適量、混合されて反応されることによりグリース状物質が生成されるが、このグリース状物質は、３０°Ｃないし３００°Ｃの温度範囲で反応、混練することによって生成するのが好ましい。また、鉱油、合成油又は植物油に対する脂肪酸の配合量は、鉱油等１００重量部に対して１０重量部ないし１００重量部である。
【００１５】
また、上記では油粘土を用いるようにしたが、粘土に流動パラフィンや架橋ポリアクリル酸ソーダゲル（保水剤）を混合し塗布するようにしても、同様の効果が期待できる。
【００１６】
本発明に係る爆破用込物は、発破孔の孔底に親ダイ及び流動性爆薬を装填し、装填した流動性爆薬の背後を填塞するのに用いる爆破用込物において、無機質粘土に流動パラフィン又は架橋ポリアクリル酸ソーダゲルが混合されて発破孔内に押し込まれ得る大きさの円柱状に製作されるか、又は無機質粘土が発破孔内に押し込まれ得る大きさの円柱状に製作され、その表面に流動パラフィン又は架橋ポリアクリル酸ソーダゲルが塗布されており、耐乾燥性が付与されていることを特徴とする。
【００１７】
流動パラフィンは不純物の少ない炭化水素であり、無害、無臭で、２００°Ｃ前後で引火する性質を有する。この流動パラフィンは粘土に対して１重量％〜３重量％程度を添加し、塗布するのがよい。
【００１８】
架橋ポリアクリル酸ソーダゲルは自重の１００倍〜１５０倍の吸水量を有し、粘土に対して１重量％〜３重量％程度を添加し、塗布するのがよい。
【００１９】
また、油粘土、流動パラフィンや架橋ポリアクリル酸ソーダゲルに代え、合成樹脂材料、例えば溶融したポリエチレン、ポリプロピレン、塩化ビニルを粘土に混合し、浸漬して表面に塗布し、粘土表面に塗料を塗布し、あるいは粘土を熱収縮性の合成樹脂フィルムで包んで熱収縮させるようにしてもよい。
【００２０】
すなわち、本発明に係る爆破用込物は、発破孔の孔底に親ダイ及び流動性爆薬を装填し、装填した流動性爆薬の背後を填塞するのに用いる爆破用込物において、無機質粘土に溶融又は軟化した合成樹脂材料が混合されて発破孔内に押し込まれ得る大きさの円柱状に製作されるか、又は無機質粘土が発破孔内に押し込まれ得る大きさの円柱状に製作され、その表面に軟化又は溶融した合成樹脂材料又は塗料が塗布されるか、あるいは無機質粘土が発破孔内に押し込まれ得る大きさの円柱状に製作され、その表面が熱収縮性の合成樹脂フィルムで包まれて熱収縮されており、耐乾燥性が付与されていることを特徴とする。
【００２１】
合成樹脂材料にはポリエチレン、ポリプロピレン、ポリ塩化ビニルを採用することができる。無機質粘土に対して１重量〜３重量％を混合するのがよい。
【図面の簡単な説明】
【００２２】
【図１】本発明に係る爆破用込物の好ましい実施形態を示す概略斜視図である。
【発明を実施するための形態】
【００２３】
〔第１の実施形態〕
以下、本発明を図面に示す具体例に基づいて詳細に説明する。図１は本発明に係る爆破用込物の好ましい実施形態を示す。込物１０は径Ｄ２０〜６５ｍｍφ、長さＬ５〜３５ｃｍの円柱状をなし、発破孔に押し込めるようになっている。
【００２４】
この込物１０は、鉱油、合成油又は植物油、あるいはこれらの混合油と、脂肪酸を反応させてグリース状物質を得て、無機質粘土に添加して製造され、さらに消臭剤が混合された油粘土を用いて製造されている。
【００２５】
発破作業を行う場合、発破孔を穿孔し、その孔底に親ダイを装填し、親ダイの周囲に流動性爆薬を装填した後、発破孔を込物１０で填塞し、親ダイを起爆させて流動性爆薬を爆発させる。
【００２６】
このとき、込物１０は油粘土製の込物を使用しているので、太陽光にさらしていても乾燥し難く、発破孔を隙間なく填塞することができ、発破孔内で爆薬を爆発させた際に、発生する高温高圧のガスが有効に働き、大きな破砕効果を保証できる。
【００２７】
また、従来の込物のように乾燥を防止する袋に収容しておく必要がないので、作業期間中の保管や持ち運びが容易であり、作業性を向上できる。
【００２８】
なお、この込物１０は長期保管を行う場合、あるいは乾燥しやすい環境下で発破作業を行う場合などには合成樹脂製袋や紙製袋に収容しておくこともできる。
【００２９】
また、油粘土に消臭剤を混合しているので、油臭さによって周囲に不快感を与えることもない。なお、消臭剤はマイクロカプセルに充填して油粘土に分散させるようにしてもよい。
【００３０】
〔第２の実施形態〕
第２の実施形態では油粘土に代え、無機質粘土に流動パラフィンや架橋ポリアクリル酸ソーダゲルを２重量％混合し、円柱状に造形している。
【００３１】
〔第３の実施形態〕
第３の実施形態では無機質粘土を円柱状に造形し、その表面に流動パラフィンや架橋ポリアクリル酸ソーダゲルを塗布するようにしている。
【００３２】
〔第４の実施形態〕
第４の実施形態では無機質粘土に溶融又は軟化したポリエチレン、ポリプロピレン、ポリ塩化ビニルを無機質粘土に対して２重量％程度混合して円柱状に造形するようにしている。
【００３３】
〔第５の実施形態〕
第５の実施形態では無機質粘土を円柱状に造形し、その表面に溶融又は軟化したポリエチレン、ポリプロピレン、ポリ塩化ビニル、あるいは塗料を塗布するようにしている。
【００３４】
〔第６の実施形態〕
第６の実施形態では無機質粘土を円柱状に造形し、これを熱収縮性フィルムで包み、加熱して熱収縮させるようにしている。
【符号の説明】
【００３５】
１０      込物
【図１】
2015172479.tif 000003